(57)【要約】【課題】エネルギー効率の高い照明標識用の光偏向複合フィルムを提供すること。【解決手段】光偏向複合フィルムは、平面状の上部主面、平面状の下部主面、上部主面と下部主面との間に配置された複数のレンチキュラーレンズ要素を備え、複数の光反射領域及び光透過領域が、複数のレンチキュラーレンズ要素と平面状の下部主面との間に配置される。【選択図】図１
2019045878.tif 000002
【特許請求の範囲】
【請求項１】
光偏向複合フィルムであって、
平面状の上部主面と、
平面状の下部主面と、
前記上部主面と前記下部主面との間に配置された複数のレンチキュラーレンズ要素と、
前記複数のレンチキュラーレンズ要素と前記平面状の下部主面との間に配置された複数の光反射領域及び光透過領域と、を備える、光偏向複合フィルム。
【請求項２】
前記平面状の下部主面が光拡散層を備える、請求項１に記載の光偏向複合フィルム。
【請求項３】
前記平面状の上部主面が光透過基材を備える、請求項１又は２に記載の光偏向複合フィルム。
【請求項４】
前記光透過基材上に感圧接着剤層が配置される、請求項３に記載の光偏向複合フィルム。
【請求項５】
前記光透過基材が、前記複数のレンチキュラーレンズ要素に固定される、請求項３又は４に記載の光偏向複合フィルム。
【請求項６】
少なくとも選択されたレンチキュラーレンズ要素が、前記レンチキュラーレンズ要素から突出する柱状要素を有し、前記柱状要素が前記光透過基材に固定される、請求項５に記載の光偏向複合フィルム。
【請求項７】
前記感圧接着剤層上に剥離ライナー層が配置され、前記剥離ライナー層は、剥離されて前記感圧接着剤層を露出するように構成されている、請求項３〜６のいずれか一項に記載の光偏向複合フィルム。
【請求項８】
前記レンチキュラーレンズ要素が直線状のレンチキュラーレンズ要素であり、前記光反射領域及び光透過領域が、直線状の光反射領域及び直線状の光透過領域である、請求項１〜７のいずれか一項に記載の光偏向複合フィルム。
【請求項９】
空気間隙が、前記レンチキュラーレンズ要素の少なくとも一部を前記光透過基材から分離している、請求項５又は６に記載の光偏向複合フィルム。
【請求項１０】
照明標識であって、
光反射面及び発光面を備える封入構造と、
前記封入構造内部に配置された光源と、
前記発光面の少なくとも一部を形成する請求項１〜９のいずれか一項に記載の光偏向複合フィルムと、を備える、照明標識。
【請求項１１】
前記発光面上又は前記発光面内に配置されたグラフィック画像を更に備える、請求項１０に記載の照明標識。
【請求項１２】
前記光反射領域が前記封入構造内に光を反射し、更に前記前方主面を介して光を反射する、請求項１０又は１１に記載の照明標識。
【請求項１３】
前記光源が光を放射する場合、及び前記光源が光を放射しない場合、前記グラフィック画像が眼に見える、請求項１１に記載の照明標識。
【請求項１４】
光が、前記光偏向複合フィルムの前記平面状の上部主面から９０°よりも小さい角度で前記発光面からコリメートされて放射される、請求項１０〜１３のいずれか一項に記載の照明標識。
【請求項１５】
前記グラフィック画像が、感圧接着剤によって前記光偏向複合フィルムの前記平面状の上部主面に固定される、請求項１１に記載の照明標識。
【請求項１６】
基材の第１の主面上に複数のレンチキュラーレンズ要素を形成する工程と、
前記基材の、前記第１の主面の反対側の第２の主面上に複数の光反射領域及び光透過領域を形成する工程と、
前記複数のレンチキュラーレンズ要素上に光透過基材を配置して、前記レンチキュラーレンズ要素の少なくとも一部と前記光透過基材との間に空気間隙を形成する工程と、を含む方法。
【請求項１７】
前記複数のレンチキュラーレンズ要素を形成する工程と、前記複数の光反射領域及び光透過領域を形成する工程とが、ほぼ同時に行われる、請求項１６に記載の方法。
【請求項１８】
前記複数のレンチキュラーレンズ要素が直線状のレンチキュラーレンズ要素であり、前記複数の光反射領域及び光透過領域が直線状の光反射領域及び光透過領域であり、前記直線状のレンチキュラーレンズ要素が前記直線状の光反射領域及び光透過領域と位置合わせされている、請求項１６又は１７に記載の方法。
【請求項１９】
前記光反射領域及び光透過領域上に光拡散層を配置する工程を更に含む、請求項１６〜１８のいずれか一項に記載の方法。
【請求項２０】
前記光透過領域が光透過材料を含み、前記光反射領域が光反射材料を含むとともにほぼ平面状の主面を形成している、請求項１６〜１９のいずれか一項に記載の方法。
【請求項２１】
隣り合う光透過領域によって画定される通路を光反射材料によって充填することにより、前記複数の光反射領域及び光透過領域を形成する工程を更に含む、請求項１６〜１８のいずれか一項に記載の方法。
【発明の詳細な説明】
【背景技術】
【０００１】
現在使用されている照明標識技術の主な方式には多くのものがある。第１の方式は、投光照明などの外部光源によって照らされる、表面塗装された標識であり、光源は標識に対して一般的に鋭角で配置される。光エネルギーは、ａ）標識の表面全体（メッセージのみでなく）が照らされ、ｂ）反射された光のかなりの割合が観測者に届かずに空又は地上へと漏れてしまうために浪費される。
【０００２】
照明標識の第２の方式は、光源が半透明の表面（標識に構造的支持を与えうる）の背後に置かれる照明ボックス型標識であり、メッセージは半透明表面バックグラウンドとコントラストをなす文字で半透明表面上に書かれる。示されるべき文字のみが照らされる場合とは対照的に、バックグラウンドを含めた標識の面全体に均等な発光放射を与えるような光エネルギーが発生される。光は上方を含めた全方向に標識から出射するため、発生された光のわずかな部分のみしか観測者の眼に届かないことから、エネルギーが浪費され、相当量の光害を引き起こす。
【０００３】
照明標識の第３の方式としては、それ自体が標識のメッセージを描く光源を備える標識がある。ネオンサイン、露出した白熱フィラメントランプ標識、及びチャンネル文字がこの技術の例である。これらの標識は点灯されていない場合には見えにくく（文字又は記号の下に塗料が塗られていないかぎり）、メッセージを伝えるうえで照明に頼ったものである。これらの標識は顧客に応じて特別に作製されるため、製造、作動、及び維持のコストが嵩み、寿命が短く、壊れやすく、白熱灯方式ではエネルギーの浪費が大きい。
【０００４】
照明標識の第４の方式としては、ＬＥＤマトリクス標識がある。ＬＥＤ技術は、変化するメッセージ標識を生成する目的で利用されている。これらの動的なメッセージ標識はコンピュータ制御されており、関心及び注意を惹く標識を与えるものであり、変化するメッセージを必要とする照明標識の解決策となるものである。
【発明の概要】
【発明が解決しようとする課題】
【０００５】
しかしながら、ほとんどの照明標識は固定されたメッセージのものであり、こうした標識は初期費用が高く、作動及び維持のコストが嵩む。
【課題を解決するための手段】
【０００６】
本開示は、エネルギー効率の高い照明標識用の光偏向複合フィルムに関する。詳細には、本開示は、観測者の方向に光を選択的に偏向する、標識用の光偏向複合フィルムに関する。
【０００７】
例示的な一実施形態において、光偏向複合フィルムは、平面状の上部主面、平面状の下部主面、上部主面と下部主面との間に配置された複数のレンチキュラーレンズ要素を備え、複数の光反射領域及び光透過領域が、複数のレンチキュラーレンズ要素と平面状の下部主面との間に配置される。
【０００８】
これらの機構及び利点、並びに様々な他の機構及び利点は、以下の「発明を実施するための形態」を読むことで明らかになるであろう。
【図面の簡単な説明】
【０００９】
本開示の様々な実施形態についての以下の詳細な説明を添付の図面と併せて考慮することによって本開示のより完全な理解がなされうる。
【図１】本明細書で述べる光偏向複合フィルムを備える例示的な照明標識の分解概略斜視図。
【図２】例示的な光偏向複合フィルムの概略断面図。
【図３】別の例示的な光偏向複合フィルムの概略断面図。
【図４】透明グラフィック基材と結合された例示的な光偏向複合フィルムの概略断面図。
【００１０】
図面の縮尺は必ずしも正確ではない。図中、用いられる同様の数字は、同様の要素を示す。しかしながら、特定の図中のある要素を示す数字の使用は、同じ数字によって示される別の図中のその要素を限定するものではないことは理解されよう。
【発明を実施するための形態】
【００１１】
以下の説明文においては、本明細書の一部を構成し、複数の特定の実施形態を例として示す一連の添付図面を参照する。本開示の範囲及び趣旨から逸脱することなく、他の実施形態が想到され、実施されうる点は理解されるはずである。したがって、以下の詳細な説明は、限定的な意味で解釈されるべきではない。
【００１２】
特に断らないかぎり、本明細書及び添付の「特許請求の範囲」で使用される構造のサイズ、量、及び物理的特性を表わす数字はすべて、いずれの場合においても「約」なる語によって修飾されているものとして理解されるべきである。したがって、そうでないことが示されないかぎり、前述の明細書及び添付の「特許請求の範囲」で示される数値的パラメータは、当業者が本明細書で開示される教示内容を用いて得ようとするところの所望の特性に応じて変化しうる近似的な値である。
【００１３】
内容によってそうでないことが明らかに示されないかぎり、本明細書及び添付の「特許請求の範囲」において使用するところの単数形「ａ」、「ａｎ」、及び「ｔｈｅ」には、複数の指示対象を有する実施形態が含まれる。内容によってそうでないことが明らかに示されないかぎり、本明細書及び添付の「特許請求の範囲」において使用するところの「又は」なる語は、「及び／又は」を含めた意味で広く用いられる。
【００１４】
これらに限定されるものではないが、「上部」、「下部」、「下側」、「上側」、「下」、「下方」、「上方」、及び「〜の上」などの空間的に関連した語は、本明細書において用いられる場合、ある要素の別の要素に対する空間的関係を述べるうえで説明を容易にする目的で用いられる。このような空間的に関連した語には、図に示され、本明細書に述べられる特定の向き以外に、使用又は作動中の装置の異なる向きが含まれる。例えば、図に示されるセルが反転又は裏返されるならば、その前には他の要素の下方又は下として述べられた部分は、これらの他の要素の上となるであろう。
【００１５】
本明細書での使用において、ある要素、部材若しくは層が、例えば別の要素、部材若しくは層の「上にある」、これらと「接続される」、「結合される」、若しくは「接触する」として述べられる場合、その要素、部材若しくは層は、例えば、特定の要素、部材若しくは層の直接上にあるか、これらと直接接続されるか、直接結合されるか、直接接触してよく、又は介在する要素、部材若しくは層が特定の要素、部材若しくは層の上にあるか、これらと接続されるか、結合されるか、若しくは接触しうる。例えば、ある要素、部材又は層が、別の要素の「直接上にある」、別の要素に「直接接続される」、「直接結合する」、又は「直接接触する」で始まる表現で表される場合、介在する要素、部材又は層は存在しない。
【００１６】
本開示は、エネルギー効率の高い照明標識用の光偏向複合フィルムに関する。詳細には、本開示は、観測者の方向に光を選択的に偏向する、標識用の光偏向複合フィルムに関する。光偏向複合フィルムは、レンチキュラーコリメートレンズと位置合わせされた光透過窓、及び各光透過窓の間の光反射領域を備えている。照明標識を出射する光の角度分布は、レンズの幾何形状、並びにレンズの焦点に対する光透過窓のサイズ及び位置によって決定される。各光透過窓の間の光コリメート基材の内面に入射する光はほぼ反射され、照明標識の封入構造の内部で再利用されてから、光透過窓の表面に入射して、光コリメート基材を通って伝播する。このようにして、照明標識によって放射された光は、制御された輝度の角度分布に適合する。これらの照明標識は、照明が望ましくない場所（例えば、「光害」の低減）では低い輝度を、照明が望ましい場所（例えば、標識の観測者に対して）では高い輝度を、更に／又は、高い放射の空間的均一性を示す。本開示はそのように限定されるものではないが、以下に示す例の考察を通じて本開示の様々な態様の認識が得られるであろう。
【００１７】
図１は、例示的な照明標識１０の分解概略斜視図である。照明標識１０は、封入構造３０、及び封入構造３０の内部に配置された光源４０を備える。封入構造３０は、光反射面３２、３３及び発光面３４を備える。多くの実施形態において、封入構造３０は、側面３３及び背面３２を有する光箱を構成する。いくつかの実施形態において、背面は完全反射性である。いくつかの実施形態において、背面３２は、発光面３４と同様の構造の第２の発光面を有し、両面照明標識を構成する。光偏向複合フィルム２０は、発光面３４の少なくとも一部を形成してよい。光偏向複合フィルム２０について以下に述べるが、光偏向複合フィルム２０は、平面状の上面を形成する光透過基材５０を備えうる。
【００１８】
光反射面３２、３３は任意の有用な光反射材料で形成することが可能であり、光効率を最大とするうえで極めて効率的でありうる。多くの実施形態において、光反射面３２、３３は、少なくとも９０％の効率、又は少なくとも９５％の効率である。いくつかの実施形態において、光反射面３２、３３は、反射フィルム又はミラーフィルムであってよい。市販の反射フィルムの１つに、スリー・エム社（3M Company）（ミネソタ州セントポール）からＬｉｇｈｔ  Ｅｎｈａｎｃｅｍｅｎｔ  Ｆｉｌｍ  ３６３５−１００の商品名で販売されるものがある。光反射面３２、３３は、拡散反射性又は正反射性であってよい。拡散反射面は、白色塗料又はＴｉＯ２粒子を含む材料であってよい。光反射面３２、３３は、溝が形成された表面に反射性コーティング材料を大量に注ぎ、余分な反射性コーティング材料を除去することで光反射性材料を塗布することによって形成することが可能であり、これにより、反射性コーティング材料で充填された溝部と露出した光透過領域が形成される。
【００１９】
光源４０は、任意の有用な光源４０であってよい。いくつかの実施形態において、光源４０は蛍光灯管である。いくつかの実施形態において、光源４０は、例えば発光ダイオードなどの固体素子である。蛍光灯管が用いられる場合、蛍光灯管は封入構造の内部で任意の方向に設置することができる。
【００２０】
図２は、例示的な光偏向複合フィルム２０の概略断面図である。図３は、別の例示的な光偏向複合フィルム２０の概略断面図である。図４は、透明グラフィック基材７０と結合された例示的な光偏向複合フィルム２０の概略断面図である。光偏向複合フィルム２０は、平面状の上部主面２１又は発光面３４から９０°よりも小さい角度で封入構造３０又は発光面３４から光を放射することができるため、放射された光は垂線から「下向き」に、照明標識を見上げる地上の観測者に向けて偏向される。
【００２１】
光偏向基材又は複合フィルム２０は、図１の照明標識１０の発光面３４の少なくとも一部を形成する。光偏向複合フィルム２０は、構造的要素の一部を形成しうる（例えば、照明標識１０の前面又は後面）。光偏向複合フィルム２０は、封入構造３０の内面の一部を形成する後方主面２３を備える。後方主面２３は、光反射領域２６及び光透過領域２７を備える。各光反射領域２６は、各光透過領域２７を分離してよい。前方又は上部主面２１が、後方下部主面２３の反対側にある。前方又は上部主面２１は、複数のレンチキュラーレンズ要素２２を備えている。光透過領域２７は、レンチキュラーレンズ要素２２の焦点上又はその近傍に配置することができ、光反射領域２６が後方主面２５の残りの領域を占めてよい。レンチキュラーレンズ要素２２は直線状のレンチキュラーレンズ要素２２であってよく、光反射領域２６及び光透過領域２７は、直線状のレンチキュラーレンズ要素２２と平行に延びる、共に延びる直線状要素であってよい。多くの実施形態において、レンチキュラーレンズ要素２２は、図１に示されるように、光偏向基材の所定の長さにわたって共に延びる直線状のレンチキュラーレンズ要素２２である。
【００２２】
図２は、例示的な光偏向複合フィルム２０の概略断面図である。多くの実施形態において、光偏向複合フィルム２０は、レンチキュラーレンズ要素２２、及び対応するレンチキュラーレンズ要素２２の焦点上又はその近傍に整列又は位置合わせされた光透過領域２７を備え、光透過基材５０が各レンチキュラーレンズ要素２２に隣接して配置される。各光反射領域２６は、各光透過領域２７を分離する残りの領域を占めてよい。光反射領域２６は、任意の有用な光反射（拡散性又は正反射性）材料で形成することができる。多くの実施形態において、光反射領域２６は、少なくとも９０％の効率、又は少なくとも９５％の効率である。いくつかの実施形態において、光反射領域２６は、反射フィルム又はミラーフィルムであってよい。市販の反射フィルムの１つに、スリー・エム社（3M Company）（ミネソタ州セントポール）からＬｉｇｈｔ  Ｅｎｈａｎｃｅｍｅｎｔ  Ｆｉｌｍの商品名で販売されるものがある。光反射領域２６は、拡散反射性又は正反射性であってよい。拡散反射面は、白色塗料又はＴｉＯ２粒子を含む材料であってよい。
【００２３】
光偏向複合フィルム２０は、任意の有用な厚さＴを有しうる。多くの実施形態において、光偏向複合フィルム２０が照明標識の前方の構造的要素を形成してよい。これらの実施形態において、光偏向複合フィルム２０は、２００〜１０００マイクロメートル以上、又は２００〜４００マイクロメートルの厚さＴを有する。レンチキュラーレンズ要素２２は、任意の有用なレンズ幅Ｗを有しうる。多くの実施形態において、レンチキュラーレンズ要素２２は１００〜２００マイクロメートルのレンズ幅Ｗを有する。光偏向複合フィルム２０は、任意の有用な光透過材料で形成することができる。
【００２４】
図３は、レンチキュラーレンズ要素２２から延出又は突出する柱状要素２９を有する光偏向複合フィルム２０である。柱状要素２９は、各レンチキュラーレンズ要素２２と光透過基材５０との間に空気間隙２４を形成する助けとなっている。光透過基材５０は、任意の有用な手段によってレンチキュラーレンズ要素２２の柱状要素２９に固定又は接着することができる。空気間隙２４は、各レンチキュラーレンズ要素２２の少なくとも一部を光透過基材５０から分離する。
【００２５】
多くの実施形態において、透過基材５０の一方又は両方の面上に接着層５４、５２が配置される。接着層５４、５２は、例えば感圧接着剤などの任意の有用な接着材料であってよい。剥離層（図に示されていない）を接着層５２上に配置することによって、接着層が使用者によって露出されて、前方光透過基材７０に適用されるまで、接着層を保護することができる。この剥離ライナー層は、剥離されると感圧接着剤層５２が露出されるように構成される。
【００２６】
グラフィック画像（例えば、一様な色又は多色画像）を、前方光透過基材７０の内部又はこれに隣接した任意の有用な位置に配置することができる。光反射領域２６は、光を封入構造３０内へと反射すると同時に封入構造の外部からの光を前方主面３４を介して反射する。したがって、グラフィック画像７１は、標識が封入構造３０の内部から照らされる場合、及び、標識１０上に入射する外部光（例えば、日光など）によって照らされる場合、観測者に見えることになる。
【００２７】
光偏向複合フィルム２０は、光透過基材５０に固定された微小複製フィルム２５を備えている。得られる光偏向複合フィルム２０は、平面状の上部主面２１、平面状の下部主面２３、上部主面２１と下部主面２３との間に配置された複数のレンチキュラーレンズ要素２２を備え、複数の光反射領域２６及び光透過領域２７が、複数のレンチキュラーレンズ要素２２と平面状の下部主面２３との間に配置される。
【００２８】
いくつかの実施形態において、光偏向複合フィルム２０の平面状の下部主面２３は光拡散層６０を備える。光拡散層６０は任意の有用な材料で形成することができ、光を拡散して、照明標識１０の封入構造３０内の光偏向複合フィルム２０を照らす点光源を「隠す」助けとなる機能を有しうる。光拡散層６０は、例えば接着層などの任意の有用な方法により、光偏向複合フィルム２０に固定することができる。
【００２９】
光偏向複合フィルム２０は任意の有用な寸法を有するように設計し、任意の有用な方法で形成することができる。いくつかの実施形態において、複数のレンチキュラーレンズ要素２２は基材２８の第１の主面上に微小複製又は形成され、複数の光透過領域２７は基材２８の反対側の第２の主面上に微小複製又は形成される。多くの実施形態において、レンチキュラーレンズ要素２２及び光透過領域２７は同時に形成され、位置合わせされる。
【００３０】
この物品の例示的な寸法としては、１００〜２５０マイクロメートルの範囲の幅、２０〜６０マイクロメートルの範囲の高さを有する直線状のレンチキュラーレンズ要素２２、並びに、２０〜３０マイクロメートルの柱状要素２９の高さ、及び２０〜５０マイクロメートルの柱状要素２９の幅が挙げられる。基材２８は、例えば５０〜２００マイクロメートルのような任意の有用な厚さを有する任意の有用な光透過材料（例えば、ポリエチレンテレフタレート）であってよい。光透過領域２７は、２５〜７５マイクロメートルの範囲の幅、及び５０〜２００マイクロメートルの高さを有しうる。光透過領域２７は任意の有用な光透過材料（例えば、アクリレート）であってよく、隣り合う光透過領域２７間に通路が画定されてよい。
【００３１】
隣り合う光透過領域２７間の通路内には光反射領域２６を形成するように、光反射材料を配置することができる。光反射領域２６は、８０％以上、又は８５％以上、又は９０％以上、又は９５％以上の光反射率を有する任意の有用な光反射材料で形成することができる。市販の反射材料の１つに、スリー・エム社（3M Company）（ミネソタ州セントポール）よりＬｉｇｈｔ  Ｅｎｈａｎｃｅｍｅｎｔ  Ｆｉｌｍの商品名で販売されるものがある。いくつかの実施形態において、反射材料は白色塗料又はＴｉＯ２粒子を含む材料であってよい。光反射領域２６は、５０〜２００マイクロメートル、又は７５〜１５０マイクロメートルの範囲の幅、及び５０〜２００マイクロメートルの高さを有しうる。
【００３２】
複数のレンチキュラーレンズ要素２２上に光透過基材５０を配置することができ、これにより上記に述べたように、各レンチキュラーレンズ要素２２の少なくとも一部と光透過基材５０との間に空気間隙２４が形成される。
【００３３】
第１の照明標識が従来のグラフィックを有する拡散性の前方基材を備え、第２の照明標識がグラフィックを有する光偏向複合フィルムを備える点以外は、同じ２個の照明標識を構成した。平均の輝度を特定の視認位置で測定した。グラフィックを有する光偏向複合フィルムを備えた照明標識は、グラフィックを有する従来の拡散性の前方基材を備えた照明標識よりも２倍以上明るい平均輝度を有していた。
【００３４】
以上、「エネルギー効率の高い標識用の光偏向複合フィルム」の実施形態を開示した。上記の実施形態及び他の実施形態は以下の「特許請求の範囲」の範囲内である。本開示が、開示されたもの以外の実施形態によって実施されうる点は当業者であれば認識されるであろう。開示された実施形態は、例示の目的で提示されたものであって、限定的なものではなく、本発明は以下の「特許請求の範囲」によってのみ限定される。
【図１】
2019045878.tif 000003
【図２】
2019045878.tif 000004
【図３】
2019045878.tif 000005
【図４】
2019045878.tif 000006
【手続補正書】
【提出日】平成30年12月20日(2018.12.20)
【手続補正１】
【補正対象書類名】明細書
【補正対象項目名】００３４
【補正方法】変更
【補正の内容】
【００３４】
以上、「エネルギー効率の高い標識用の光偏向複合フィルム」の実施形態を開示した。上記の実施形態及び他の実施形態は以下の「特許請求の範囲」の範囲内である。本開示が、開示されたもの以外の実施形態によって実施されうる点は当業者であれば認識されるであろう。開示された実施形態は、例示の目的で提示されたものであって、限定的なものではなく、本発明は以下の「特許請求の範囲」によってのみ限定される。本発明の実施態様の一部を以下の項目［１］−［２１］に記載する。
［項目１］
光偏向複合フィルムであって、
平面状の上部主面と、
平面状の下部主面と、
前記上部主面と前記下部主面との間に配置された複数のレンチキュラーレンズ要素と、
前記複数のレンチキュラーレンズ要素と前記平面状の下部主面との間に配置された複数の光反射領域及び光透過領域と、を備える、光偏向複合フィルム。
［項目２］
前記平面状の下部主面が光拡散層を備える、項目１に記載の光偏向複合フィルム。
［項目３］
前記平面状の上部主面が光透過基材を備える、項目１又は２に記載の光偏向複合フィルム。
［項目４］
前記光透過基材上に感圧接着剤層が配置される、項目３に記載の光偏向複合フィルム。
［項目５］
前記光透過基材が、前記複数のレンチキュラーレンズ要素に固定される、項目３又は４に記載の光偏向複合フィルム。
［項目６］
少なくとも選択されたレンチキュラーレンズ要素が、前記レンチキュラーレンズ要素から突出する柱状要素を有し、前記柱状要素が前記光透過基材に固定される、項目５に記載の光偏向複合フィルム。
［項目７］
前記感圧接着剤層上に剥離ライナー層が配置され、前記剥離ライナー層は、剥離されて前記感圧接着剤層を露出するように構成されている、項目３〜６のいずれか一項に記載の光偏向複合フィルム。
［項目８］
前記レンチキュラーレンズ要素が直線状のレンチキュラーレンズ要素であり、前記光反射領域及び光透過領域が、直線状の光反射領域及び直線状の光透過領域である、項目１〜７のいずれか一項に記載の光偏向複合フィルム。
［項目９］
空気間隙が、前記レンチキュラーレンズ要素の少なくとも一部を前記光透過基材から分離している、項目５又は６に記載の光偏向複合フィルム。
［項目１０］
照明標識であって、
光反射面及び発光面を備える封入構造と、
前記封入構造内部に配置された光源と、
前記発光面の少なくとも一部を形成する項目１〜９のいずれか一項に記載の光偏向複合フィルムと、を備える、照明標識。
［項目１１］
前記発光面上又は前記発光面内に配置されたグラフィック画像を更に備える、項目１０に記載の照明標識。
［項目１２］
前記光反射領域が前記封入構造内に光を反射し、更に前記前方主面を介して光を反射する、項目１０又は１１に記載の照明標識。
［項目１３］
前記光源が光を放射する場合、及び前記光源が光を放射しない場合、前記グラフィック画像が眼に見える、項目１１に記載の照明標識。
［項目１４］
光が、前記光偏向複合フィルムの前記平面状の上部主面から９０°よりも小さい角度で前記発光面からコリメートされて放射される、項目１０〜１３のいずれか一項に記載の照明標識。
［項目１５］
前記グラフィック画像が、感圧接着剤によって前記光偏向複合フィルムの前記平面状の上部主面に固定される、項目１１に記載の照明標識。
［項目１６］
基材の第１の主面上に複数のレンチキュラーレンズ要素を形成する工程と、
前記基材の、前記第１の主面の反対側の第２の主面上に複数の光反射領域及び光透過領域を形成する工程と、
前記複数のレンチキュラーレンズ要素上に光透過基材を配置して、前記レンチキュラーレンズ要素の少なくとも一部と前記光透過基材との間に空気間隙を形成する工程と、を含む方法。
［項目１７］
前記複数のレンチキュラーレンズ要素を形成する工程と、前記複数の光反射領域及び光透過領域を形成する工程とが、ほぼ同時に行われる、項目１６に記載の方法。
［項目１８］
前記複数のレンチキュラーレンズ要素が直線状のレンチキュラーレンズ要素であり、前記複数の光反射領域及び光透過領域が直線状の光反射領域及び光透過領域であり、前記直線状のレンチキュラーレンズ要素が前記直線状の光反射領域及び光透過領域と位置合わせされている、項目１６又は１７に記載の方法。
［項目１９］
前記光反射領域及び光透過領域上に光拡散層を配置する工程を更に含む、項目１６〜１８のいずれか一項に記載の方法。
［項目２０］
前記光透過領域が光透過材料を含み、前記光反射領域が光反射材料を含むとともにほぼ平面状の主面を形成している、項目１６〜１９のいずれか一項に記載の方法。
［項目２１］
隣り合う光透過領域によって画定される通路を光反射材料によって充填することにより、前記複数の光反射領域及び光透過領域を形成する工程を更に含む、項目１６〜１８のいずれか一項に記載の方法。
【手続補正２】
【補正対象書類名】特許請求の範囲
【補正対象項目名】全文
【補正方法】変更
【補正の内容】
【特許請求の範囲】
【請求項１】
照明標識であって、
光反射面及び発光面を有するエンクロージャと、
前記エンクロージャの内部に配置された光源と、
前記発光面の少なくとも一部を形成する光偏向複合フィルムと、
前記光源とは反対側となるように前記光偏向複合フィルムに結合されたグラフィック画像（但し、液晶セルに基づくグラフィック画像を除く。）と、を備え、
前記光偏向複合フィルムは、
平面状の上主面と、
前記上主面とは反対側の平面状の下主面と、
前記上主面と前記下主面との間に配置された複数のレンチキュラーレンズ要素であって、該複数のレンチキュラーレンズ要素から突出する複数の柱状要素を有し、該柱状要素は、平面状の上面を含む、複数のレンチキュラーレンズ要素と、
前記複数のレンチキュラーレンズ要素と前記平面状の下主面との間に配置された、複数の光反射領域及び光透過領域と、
前記柱状要素の前記上面を、隣接する基材の下部に結合する接着層であって、該隣接する基材は、前記上主面と前記下主面との間に配置される、接着層と、を有し、
前記光反射領域は、前記エンクロージャ内に光を反射して戻すとともに、前記上主面を通して前記エンクロージャの外部からの光を反射する、照明標識。
【請求項２】
前記レンチキュラーレンズ要素は、直線状のレンチキュラーレンズ要素であり、
前記光反射領域及び光透過領域は、直線状の光反射領域及び直線状の光透過領域である、請求項１に記載の照明標識。
【請求項３】
光が、前記光偏向複合フィルムの前記平面状の上主面に対して９０°よりも小さい角度で、前記発光面からコリメートされて放射される、請求項１又は２に記載の照明標識。
【請求項４】
前記グラフィック画像は、感圧接着剤によって前記光偏向複合フィルムの前記平面状の上主面に固定される、請求項１〜３のいずれか１項に記載の照明標識。
【外国語明細書】
2019045878000001.pdf